(57)【特許請求の範囲】
【請求項１】
円筒型のリテーナ内に円筒フレームを有した回動ルーバーが回動可能に配設され、該回動ルーバーには送風方向と平行な中心線から放射状に複数の可動フィンが該円筒フレームの内側で放射状の支軸により回動可能に軸支されてなるレジスタにおいて、
該リテーナ内の送風方向と平行な中心線上に、ボールを有するボールジョイントが配設され、該回動ルーバーには、該円筒フレームの中央に、複数の軸支部を放射状に設けた中央軸支部が配設され、該中央軸支部は、中央に設けたボール穴を該ボールに嵌合させて、傾動及び回動可能に取り付けられ、
該円筒フレームの内側に複数の可動フィンが、略等間隔をおいてラジアル方向の支軸により回動可能に軸支されるとともに、該各可動フィンの内側部分が該中央軸支部の各軸支部に軸支され、
該中央軸支部の前面側中央には操作部が該回動ルーバーの中心線の回りで回動可能に装着され、該操作部はベベルギヤ機構を介して該各可動フィンの内側部分と連係され、
該円筒フレームの外周面は該リテーナの内周面に対し僅かな隙間を介して略非接触で配設され、
該円筒フレームは、前円筒フレームの上流側に後円筒フレームが嵌着され、該可動フィンの外側の支軸が該前円筒フレームと該後円筒フレーム間の軸受部に挟み込まれて軸支され、
該後円筒フレームの縁部に、小凹凸部が円周方向に沿って連続して設けられたことを特徴とするレジスタ。
【請求項２】
前記後円筒フレームの縁部の小凹凸部は、流路内の通風軸方向に向けて凹凸状に形成され、且つ該通風軸と直角方向から見て略三角形状の小凹凸が背面に向けて鋸歯状に形成されたことを特徴とする請求項１記載のレジスタ。
【請求項３】
前記後円筒フレームの縁部の小凹凸部は、流路内の通風軸方向に向けて凹凸状に形成され、且つ該通風軸と直角方向から見て略四角形の小凹凸が背面に向けて矩形歯状に形成されたことを特徴とする請求項１記載のレジスタ。
【請求項４】
前記後円筒フレームは、射出成形型を用いて合成樹脂により射出成形され、該射出成形型の合わせ部により該後円筒フレームの外周面に生じた、パーティングラインの円周方向に沿って、前記縁部の小凹凸部とは別の小凹凸部が連続して設けられたことを特徴とする請求項２または３記載のレジスタ。
【請求項５】
前記前円筒フレームと後円筒フレームの嵌着部位には、係止爪と該係止爪が係止される被係止部とからなる係止部が設けられ、該被係止部は中央開口部の周囲を合成樹脂の成形部が包囲して形成され、該中央開口部の両側の側部成形部が相互に相違した厚さまたは幅で形成されたことを特徴とする請求項２乃至４の何れかに記載のレジスタ。
【発明の詳細な説明】
【技術分野】
【０００１】
本発明は、主に自動車などの空調装置の空気吹出調整用に使用されるレジスタに関し、特に円筒状のリテーナと略円形の空気吹出口を有する丸型のレジスタに関する。
【背景技術】
【０００２】
従来、円形の空気吹出口を有する丸型レジスタとして、円筒フレーム内に送風方向に沿った中心軸の回りで回動可能な丸型の回動ルーバーを備えたレジスタが、下記特許文献１などにより知られている。
【先行技術文献】
【特許文献】
【０００３】
【特許文献１】実公平３−２７２３７号公報
【発明の概要】
【０００４】
このレジスタは、内側に球面を有する円筒形の外枠を有し、その外枠の内側に、外側球面を有する内枠を、回動及び傾動可能に嵌め込み、内枠内には４枚の可動羽根を中心軸の周囲に放射状に配置した回動ルーバーが配設され、回動ルーバーの各可動羽根は、内枠のラジアル方向の支軸の回りで回動可能に軸支されて構成される。
【０００５】
さらに、このレジスタは、中心軸の末端及び各可動羽根の支軸の内側端にベベルギヤが設けられ、中心軸の末端に設けたベベルギヤと各可動羽根のベベルギヤが噛合し、中心軸の先端に設けた摘みを回すと、ベベルギヤを介して各可動羽根がその支軸を軸に回動する構造となっている。
【０００６】
レジスタの使用時、中心軸先端の摘みを回すと、ベベルギヤを介して４枚の可動羽根がラジアル方向の支軸を中心に回動し、４枚の可動羽根が送風方向と平行な場合、レジスタの空気吹出口から送風される風が、可動羽根によって、中央に収束されるが、４枚の可動羽根が各支軸を軸に傾動すると、送風される空気流は空気吹出口の周囲に拡散するように流れる。さらに、各可動羽根を流路の横断面と平行な状態まで回動させた場合、４枚の可動羽根がレジスタの流路を遮断し送風を止めるようになっている。
【０００７】
また、風向を任意の方向に変える場合、内側に４枚の可動羽根を有し外側球面状の内枠を、中央の摘みを持って円筒状の外枠内で任意の方向に傾動させると、円筒状の内枠が傾動し、任意の方向に送風方向を変える。
【発明が解決しようとする課題】
【０００８】
しかし、上記丸型のレジスタは、外枠内に内枠が全方向に傾動可能に配設されて、内枠を任意の方向に円滑に傾動させるため、内枠の外周面と外枠の内周面との間に僅かであるが隙間を生じさせているが、空気流がその隙間を通過する際、内枠の縁部近傍で空気流が剥離して渦流が発生し、渦流が空気流と干渉して加速する際の圧力変動により、笛吹き音が発生しやすい。【０００９】
そこで、笛吹き音の防止対策として、外枠の内側縁部に細かい凹凸部を円周面にそって連続して形成し、或いは外枠の内側縁部近傍の内周面に細かい凹部を円周方向に沿って形成し、この外枠内の凹凸部などにより、内枠の傾動時に隙間を通過する空気流の渦流の発生を阻止して、笛吹き音を防止する案が検討された。しかし、外枠の内側縁部の内周面に凹凸部などを設けると、内枠を傾動操作したとき、外枠内周面縁部の凹凸部などが正面視に現れ、レジスタの見栄えを悪化させやすい問題があった。【００１０】
本発明は、上記の点に鑑みなされたもので、レジスタの見栄えを悪化させずに、笛吹き音の発生を防止することができる丸型のレジスタを提供することを目的とする。
【課題を解決するための手段】
【００１１】
上記目的を達成するために、本発明のレジスタは、円筒型のリテーナ内に円筒フレームを有した回動ルーバーが回動可能に配設され、該回動ルーバーには送風方向と平行な中心線から放射状に複数の可動フィンが該円筒フレームの内側で放射状の支軸により回動可能に軸支されてなるレジスタにおいて、
該リテーナ内の送風方向と平行な中心線上に、ボールを有するボールジョイントが配設され、該回動ルーバーには、該円筒フレームの中央に、複数の軸支部を放射状に設けた中央軸支部が配設され、該中央軸支部は、中央に設けたボール穴を該ボールに嵌合させて、傾動及び回動可能に取り付けられ、
該円筒フレームの内側に複数の可動フィンが、略等間隔をおいてラジアル方向の支軸により回動可能に軸支されるとともに、該各可動フィンの内側部分が該中央軸支部の各軸支部に軸支され、
該中央軸支部の前面側中央には操作部が該回動ルーバーの中心線の回りで回動可能に装着され、該操作部はベベルギヤ機構を介して該各可動フィンの内側部分と連係され、
該円筒フレームの外周面は該リテーナの内周面に対し僅かな隙間を介して略非接触で配設され、
該円筒フレームは、前円筒フレームの上流側に後円筒フレームが嵌着され、該可動フィンの外側の支軸が該前円筒フレームと該後円筒フレーム間の軸受部に挟み込まれて軸支され、
該後円筒フレームの上流側の縁部に、小凹凸部が円周方向に沿って連続して設けられたことを特徴とする。
【００１２】
この発明のレジスタによれば、回動ルーバーの中央の操作部を持って回動ルーバーを任意の方向に傾動操作したとき、回動ルーバーは、中央に支持されたボールジョイントのボールを中心に傾動し、送風方向が任意の方向に変えられる。このとき、リテーナ内の流路から円筒フレームの外側の僅かな隙間に空気流が通過する場合があるが、円筒フレームの後円筒フレームの円周縁部の小凹凸部を空気流が通過する際、小凹凸部によって円筒フレームの円周縁部近傍に発生しやすい渦流の発生が阻止されるため、笛吹き音の発生を防止することができる。また、小凹凸部は後円筒フレームの上流側の縁部に設けられるので、正面から円筒フレーム内を見たとしても、小凹凸部は見えにくく、レジスタの見栄えを損なうことはない。
【００１３】
ここで、上記円筒フレームの後円筒フレームの縁部の小凹凸部は、レジスタ内の流路の通風軸方向に向けて小凹凸が形成され、且つ該通風軸と直角方向から見て略三角形状の凹凸として背面に向けて鋸歯状に形成することができる。或いは、縁部の小凹凸部は、通風軸と直角方向から見て略四角形の凹凸として、背面に向けて矩形歯状に形成することができる。
【００１４】
またここで、上記後円筒フレームは、射出成形型を用いて合成樹脂により射出成形され、該射出成形型の合わせ部により該後円筒フレームの外周面に生じた、パーティングライン（合わせすじ）の円周方向に沿って、上記小凹凸部とは別の小凹凸部を設けることが好ましい。これによれば、後円筒フレームが射出成形型を用いて合成樹脂により射出成形される場合、後円筒フレームの外周面にパーティングラインが生じ、そのパーティングラインによって、異音が発生する場合あるが、パーティングライン（合わせすじ）の円周方向に沿って、小凹凸部を連続して設けることにより、パーティングラインで生じやすい異音の発生を防止することができる。
【００１５】
またここで、上記レジスタにおいて、上記前円筒フレームと後円筒フレームの嵌着部位には係止爪と該係止爪が係止される被係止部とからなる係止部が設けられ、該被係止部は中央開口部の周囲を合成樹脂の成形部が包囲して形成され、該中央開口部の両側の側部成形部を相互に相違した厚さまたは幅で形成することが好ましい。
【００１６】
これによれば、係止部において係止爪が被係止部に係止される際に生じやすい被係止部の割れを防止することができる。係止部を合成樹脂で型成形する場合、中央開口部を有する被係止部では、合成樹脂材料が中央開口部両側の合成樹脂成形部のキャビティ内を両側から回り込むように流入する。このとき、成形部の中央で材料がぶつりあうと、材料が完全に停止する前に当該部分で部分硬化が生じ、境界部分に不連続部が生じ、そこにウエルドラインが生じやすい。このようなウエルドラインが被係止部に発生すると、係止爪の係止時、当該部位に応力が集中し、その部分に割れが発生しやすい。【００１７】
しかし、上記レジスタの円筒フレームの係止部は、被係止部の側部成形部が両側で相互に相違した厚さまたは幅で形成されるので、型成形時、両側から合成樹脂材料が成形部のキャビティ内に回り込む際、両側の材料の流量や流速が相違し、被係止部に、部分硬化による不連続部が生じず、ウエルドラインが生じない。このため、係止爪が被係止部に係止されたときの割れを防止することができ、これにより、円筒フレームの外観の悪化を防止することができる。
【発明の効果】
【００１８】
本発明のレジスタによれば、レジスタの見栄えを悪化させずに、笛吹き音の発生を防止することができる。
【図面の簡単な説明】
【００１９】
【図１】本発明の一実施形態を示すレジスタの正面図である。
【図２】同レジスタの右側面図である。
【図３】同レジスタの背面図である。
【図４】同レジスタの分解斜視図である。
【図５】図１のレジスタの中央縦断面図である。
【図６】（ａ）は円筒フレームの正面斜視図、（ｂ）はその背面斜視図である。
【図７】（ａ）は前円筒フレームの正面斜視図、（ｂ）はその左側面図である。
【図８】（ａ）は後円筒フレームの左側面図、（ｂ）はその背面斜視図である。
【図９】（ａ）は前円筒フレームの右側面図、（ｂ）はそのＢ−Ｂ拡大断面図である。
【図１０】円筒フレームを上に振ったときの中央縦断面図である。
【図１１】円筒フレームを下に振ったときの中央縦断面図である。
【図１２】（ａ）は他の実施形態の円筒フレームの正面斜視図、（ｂ）はその背面斜視図である。
【図１３】（ａ）はさらに他の実施形態の円筒フレームの正面斜視図、（ｂ）はその背面斜視図である。
【図１４】（ａ）は図１３の実施形態の後円筒フレームの背面斜視図、（ｂ）はその左側面図である。
【発明を実施するための形態】
【００２０】
以下、本発明の一実施形態を図面に基づいて説明する。図１〜図１１は自動車の車室内に取り付けられ使用される空調装置用の丸型レジスタを示している。図示のレジスタは、概略的には、円筒型のリテーナ１内に、円筒フレーム２０を有した回動ルーバー２が回動可能に配設され、回動ルーバー２には送風方向と平行な中心線Ｓ１（図５）から放射状に、５枚の可動フィン２３が、円筒フレーム２０の内側で、放射状に配置した５本の軸支線４を軸に回動可能に軸支される。
【００２１】
円筒フレーム２０の中央には操作部（ダイヤルノブ）６が配置され、操作部６を上下左右に動かして、回動ルーバー２を傾動させ、さらに操作部６をその軸の回りで回動操作して可動フィン２３を回動させ、リテーナ１内の流路１５を開閉するように構成される。
【００２２】
レジスタの外殻を形成するリテーナ１内の後部には、図２，４に示すように、支持枠１２が放射状に設けられ、支持枠１２の中央部にボールジョイント支持部１１が設けられる。そして、ボールジョイント支持部１１の軸方向に穿設された軸孔に、ボールジョイント８の軸部８２が嵌め込まれて取り付けられる。
【００２３】
ボールジョイント８は、図４、５に示すように、円筒フレーム２０と５枚の可動フィン２３を有した回動ルーバー２を、レジスタの中心線Ｓ１上で支持し、中心線Ｓ１を中心に上下左右等に傾動可能に支持する構造となっている。
【００２４】
リテーナ１の前部外周部には、図２のように、複数の係止部１３により円筒状のベゼル９が嵌着される。図４、５に示すように、ベゼル９は、内側に回動ルーバー２を回動及び傾動可能に配設した状態で、係止部１３をベゼル９の係止爪９ａ（図２）に係止させて、リテーナ１の前部に嵌着される。
【００２５】
リテーナ１内に配設される回動ルーバー２は、図４に示すように、円筒フレーム２０内に５枚の可動フィン２３を放射状に配設し、円筒フレーム２０の前円筒フレーム２１の中央に操作部（ダイヤルノブ）６を回動可能に軸支し、操作部６の回動操作に応じて、５枚の可動フィン２３を、放射状の軸支線４の回りで支軸２４、２７を中心に回動させる構造である。回動ルーバー２の円筒フレーム２０は、図４に示す如く、前円筒フレーム２１と後円筒フレーム２２とからなり、可動フィン２３を内部に組み付けた状態で、前円筒フレーム２１の後部に後円筒フレーム２２を嵌め込み、係止爪２２ａを被係止部１０に係止させて嵌着される。
【００２６】
後円筒フレーム２２の後縁部には円周にそって小凹凸部２２ｃが、風切り音を防止するために設けられる。小凹凸部２２ｃは、流路１５内の通風軸方向に向けて凹凸状に形成され、図８などに示すように、通風軸と直角方向から見て略三角形状の小凹凸が背面に向けて鋸歯状に形成されている。なお、小凹凸部２２ｃは、略三角形状の鋸歯状の小凹凸のほか、非尖頭状の凹凸や矩形の凹凸であってもよく、渦流を乱して風切り音を防止する形状であれば、凹凸の形状は任意の形状とすることができる。図５、１０，１１に示すように、この小凹凸部２２は後円筒フレーム２２の後縁部に設けられるので、レジスタの正面視では、内部を覗いたとしても視認できず、回動ルーバー２が図１０，１１のように傾動操作された状態であっても、小凹凸部２２ｃは見えにくい位置にあり、レジスタの見栄えの悪化は防止される。
【００２７】
上記のように、円筒フレーム２０は、前円筒フレーム２１の上流側に後円筒フレーム２２を嵌着して形成され、後円筒フレーム２２の縁部に小凹凸部２２ｃが設けられるが、後円筒フレーム２２の嵌着部位には、係止部として、３個の係止爪２２ａが１２０度の角度間隔で設けられる。一方、前円筒フレーム２１の後縁部には、係止爪２２ａとの対応部分に、係止爪２２ａと係止可能な３本の被係止部１０が背面に向けて突設される。
【００２８】
前円筒フレーム２１は合成樹脂による型成形により一体に形成されるが、被係止部１０は、図９に示すように、その中央に方形の中央開口部１０ａが形成され、中央開口部１０ａの周囲を包囲するように方形枠状の成形部１０ｂが形成される。方形枠状の成形部１０ｂは、その中央開口部１０ａに後円筒フレーム２２の係止爪２２ａを係止可能な形状となっている。また、成形部１０ｂには、中央開口部１０ａの両側に、側部成形部１０ｃが形成されるが、両側の側部成形部１０ｃは、相互に相違した厚さまたは幅で形成される。ここでは、図９に示す如く、一方の側部成形部１０ｃの厚さまたは幅が他方より薄くまたは小さく形成される。これにより、被係止部１０の型成形時、側部成形部１０ｃに生じやすいウエルドラインが防止される。
【００２９】
さらに、図４に示すように、後円筒フレーム２２の外周後部には、円筒フレーム２０の傾動範囲を規制するために、ストッパ２２ｂが突設される。ストッパ２２ｂは、後円筒フレーム２２の外周部に突設された円柱部にゴム状リングを嵌めて構成され、回動ルーバー２の傾動時のガイド機能を兼備する。このために、回動ルーバー２をリテーナ１内に装着したとき、ストッパ２２ｂは、リテーナの内側に設けたガイド溝１ａ（図４，５）内に挿入され、回動ルーバー２の円筒フレーム２０が傾動するとき、ストッパ２２ｂはガイド溝１ａ内を移動し、傾動限度まで傾動したとき、ストッパ２２ｂがガイド溝１ａの奥部またはベゼル９の内側凸部に当たり、傾動が制限される。
【００３０】
回動ルーバー２の中央に位置する中央軸支部３には、図４、５に示すように、その外周部に５本の軸支線４の軸穴４２が等間隔（約７２°の角度間隔）で設けられる。５枚の可動フィン２３の内側の支軸２７が、それらの各軸穴４２に回動可能に嵌入され、可動フィン２３は回動ルーバー２の円筒フレーム２０の内側に等間隔に配置され、軸支される。
【００３１】
回動ルーバー２の可動フィン２３は、開放操作時、図１，２のように、流路１５と平行状態となって流路を開放し、閉鎖操作時には、閉鎖方向の回動端である、リテーナ１内の流路１５の横断方向と平行状態まで回動し、５枚の可動フィン２３が円筒フレーム２０内の流路１５を全閉状態とするようになっている。
【００３２】
回動ルーバー２を回動及び傾動可能に支持するボールジョイント８は、図２、４に示す如く、リテーナ１内の送風方向と平行な中心線Ｓ１上で、ボールジョイント支持部１１にその軸部８２が保持され、リテーナ１内の中央に取り付けられる。ボールジョイント８は、図２，４に示すように、軸部８２の前側先端にボール８１が設けられ、そのボール８１に、回動ルーバー２の中央に位置する中央軸支部３が、その中央のボール穴を嵌合させて、傾動及び回動可能に取り付けられる。
【００３３】
中央軸支部３は、例えば熱可塑性エラストマーなどの高分子弾性体から一体成形され、或いは、合成樹脂製の内側に高分子弾性体を嵌入して形成される。中央軸支部３の中央のボール穴には、ボールジョイント８のボール８１が嵌合され、中央軸支部３の外周部に放射状に設けた５個の軸穴４２には、５枚の可動フィン２３の内側の支軸２７が各々回動可能に枢着される。
【００３４】
回動ルーバー２の５枚の可動フィン２３は、図４などに示す如く、円筒フレーム２０内に等間隔（約７２°の角度間隔）で配置され、各可動フィン２３の外側の支軸２４は、各々、図５に示すように、円筒フレーム２０の前円筒フレーム２１と後円筒フレーム２２との間に挟むように軸支される。内側の各支軸２７は上記中央軸支部３の外周部に等間隔（約７２°の角度間隔）で配置された各軸支線４の軸穴４２に、嵌入され、各可動フィン２３は、放射状の軸支線４の回りで回動可能に軸支される。
【００３５】
前円筒フレーム２１内には、図４のように格子部２１ａが設けられ、格子部２１ａ内は流路１５となる。格子部２１ａの中央に、円筒状の操作部保持部２１ｂ設けられ、操作部保持部２１ｂ内に、操作部６が前方から回動可能に挿入される。前円筒フレーム２１の後部（上流側）に後円筒フレーム２２が嵌着されるが、そのために前円筒フレーム２１の後縁部には、複数の被係止部１０が後方に突設され、被係止部１０には後円筒フレーム２２の係止爪２２ａが係止される。
【００３６】
前円筒フレーム２１を被係止部１０とともに合成樹脂で型成形する場合、中央開口部１０ａの周囲の成形部１０ｂでは、合成樹脂材料が中央開口部１０ａ両側の側部成形部１０ｃのキャビティ内を両側から回り込むように流入する。このとき、成形部１０ｂの中央で材料がぶつりあうと、材料が完全に停止する前に当該部分で部分硬化が生じ、境界部分に不連続部が生じ、そこにウエルドラインが生じやすい。
【００３７】
しかし、被係止部１０は、一方の側部成形部１０ｃに薄肉部が設けられ、側部成形部１０ｃが両側で相互に相違した厚さで形成されるので、型成形時、両側から合成樹脂材料が成形部のキャビティ内に回り込む際、両側の材料の流量や流速が相違する。このため、前円筒フレーム２１の成形時、被係止部１０には、合成樹脂材料の部分硬化による不連続部が生じず、ウエルドラインを生じさせずに成形することができる。
【００３８】
一方、各可動フィン２３の内側の支軸２７は、図４に示す如く、中央軸支部３の軸支線４上の軸穴４２に適度な摩擦抵抗をもって軸支され、中央軸支部３の前部に軸部５２を介して支持され操作部６の操作により回動するベベルギヤ部材５１は、中央軸支部３の中央軸３１の軸穴との間に適度な摩擦抵抗が生じ、これにより、調整可能な適正操作荷重を操作部６に付与するようになっている。中央軸支部３の前部の中央軸３１には、軸穴が設けられ、ベベルギヤ部材５１の内側軸部がこの軸穴に回動可能に嵌入され、ベベルギヤ部材５１の前部の軸部５２の軸孔には操作部６の軸部６１が嵌入される。
【００３９】
このため、使用者が操作部６を回して回動ルーバー２を開閉操作したとき、適度な操作荷重を生じさせつつ、ベベルギヤ部材５１を回動させ、可動フィン２３を支軸２４、２７による軸支線４の回りで回動させることができる。さらに、操作部６を持って回動ルーバー２を上下左右に傾動操作した場合、適度な操作荷重を生じつつ、回動ルーバー２は、中央軸支部３のボール８１の軸を中心に、上下左右に傾動する。
【００４０】
操作部６は、図４、５に示す如く、ダイヤルノブ状に形成され、回動ルーバー２の円筒フレーム２０の前部の格子部２１ａの中央に、回動操作可能に装着される。格子部２１ａの中央には、操作部保持部２１ｂが円形凹部として形成され、その操作部保持部２１ｂの中央に、挿入孔が設けられる。その挿入孔に、前部から操作部６の軸部６１が挿入され、後部からはベベルギヤ部材５１の軸部５２が操作部６の軸部６１内に挿通され、その軸部５２に設けた係止爪が軸部６１の係止部に係止されて、操作部６とベベルギヤ部材５１が回動操作可能に連結され、円筒フレーム２０の中央に取り付けられる。
【００４１】
図４、５に示す如く、操作部６が操作部保持部２１ｂ内に挿入され、且つその軸部６１が挿入孔２１ｃに挿入され、操作部６はがたつきなく回動可能に取り付けられる構造となっている。これにより、操作部６の回動操作時、ベベルギヤ機構５のベベルギヤ部材５１が中央軸支部３に対し回動し、中央軸支部３の外周部に放射状に配置された各可動フィン２３はそのベベルギヤ片２５とベベルギヤ部材５１が噛合し、その支軸２４，２７を軸に回動する。
【００４２】
ベベルギヤ機構５のベベルギヤ部材５１は、中央軸支部３の中央軸３１を軸にして回動可能であり、図４，５に示すように、各可動フィン２３の内側端部に設けたベベルギヤ片２５がベベルギヤ部材５１と噛合している。これにより、操作部６を回動操作すると、ベベルギヤ部材５１を介してベベルギヤ片２５が従動して回動し、回動ルーバー２の各可動フィン２３は、その支軸２４、２７を軸に回動する。
【００４３】
ベベルギヤ機構５は、図５に示すように、駆動側のベベルギヤ部材５１と従動側のベベルギヤ片２５とが噛合して構成され、駆動側のベベルギヤ部材５１はその中央に軸部５２が突設され、軸部５２は操作部６の中央に連結される。軸部５２は、前円筒フレーム２１の格子部２１ａの中央に設けた操作部保持部２１ｂの挿入孔に挿通されて、回転可能に支持される。
【００４４】
また、ベベルギヤ機構５のベベルギヤ部材５１の後部（背面側）には、図５に示すように、中央軸支部３の中央軸３１が、回動可能に挿通される。さらに、ベベルギヤ部材５１の前部の軸部５２が、操作部６の軸部６１の軸穴内に嵌入され、軸部５２の係止爪が軸部６１の係止部に係止される。これにより、駆動側のベベルギヤ部材５１は中央軸支部３の中央軸３１に回動可能に支持されるとともに、操作部６の軸部６１と連結される。
【００４５】
上記のように、回動ルーバー２の可動フィン２３は、図４に示す如く、５枚のフィンから構成され、各可動フィン２３の内側部分には、駆動側のベベルギヤ部材５１と噛合する従動側のベベルギヤ片２５が一体成形され、その内側軸中心位置に、支軸２７が突設される。各可動フィン２３は、その内側に設けた内側の支軸２７を、中央軸支部３の軸穴４２に挿入して支持され、ベベルギヤ片２５はその前部に位置するベベルギヤ部材５１と噛合する。
【００４６】
各可動フィン２３の回動範囲は約９０°に設定されるため、ベベルギヤ片２５は円環ホイール状に形成する必要はなく、図４に示すように、約１８０°の角度範囲つまり略半円形の歯部として形成される。また、円筒フレーム２０を含む回動ルーバー２は、その中央の操作部６を持って、上下左右に傾動操作すると、ボールジョイント８のボール８１を中心に、中央の軸部５２が傾動する。
【００４７】
回動ルーバー２は、５枚の可動フィン２３のフィン本体２６（図４）を、各々、流路１５の通風方向と平行にした状態で、レジスタは開放状態となる。流路１５を閉鎖する場合、操作部６を回動操作すると、各可動フィン２３がその支軸２４、２７の回りで所定角度まで回動し、その回動端で可動フィン２３のフィン本体２６（図４）が円筒フレーム２０の横断面と略平行状態となって、流路１５を閉鎖する。このため、５枚の可動フィン２３のフィン本体２６は、流路１５の通風方向と直角な横断面に並置状態となったとき、全閉可能な形状及び大きさに形成されている。また、回動ルーバー２の５枚の可動フィン２３は、開放状態と閉鎖状態間で、各可動フィン２３をその支軸２４、２７を軸に、任意の中間角度位置に回動させることができるが、可動フィン２３が任意の中間角度位置にあるとき、５枚の可動フィン２３によって、送風を細かく拡散し、よりマイルドな風を送風できるようになっている。
【００４８】
上記回動ルーバー２を組み立てる場合、図４、５に示す如く、操作部６を前円筒フレーム２１の前部の操作部保持部２１ｂ内に挿入しながら、その軸部６１を挿入孔に挿入し、前円筒フレーム２１の後部側からベベルギヤ部材５１の軸部５２を、操作部６の軸部６１内に差し込み、その係止爪を係止部に係止させる。これにより、操作部６及びベベルギヤ部材５１は前円筒フレーム２１の中央軸線位置に、確実に回動可能に組み付けられる。
【００４９】
次に、中央軸支部３の外周部の軸支線４位置に、５枚の可動フィン２３を放射状に保持させるように、内側の支軸２７を軸穴４２に挿入し、中央軸支部３の中央軸３１をベベルギヤ部材５１に嵌入する。その状態で、５枚の可動フィン２３の外側の支軸２４を、前円筒フレーム２１と後円筒フレーム２２間の軸受部で挟み込み軸支するようにして、前円筒フレーム２１と後円筒フレーム２２を嵌合させ、その係止爪２２ａと被係止部１０を係止させる。このとき、上記のように、被係止部１０にウエルドラインは生じてないため、被係止部１０の成形部１０ｂに割れが生じず、前円筒フレーム２１と後円筒フレーム２２は強固に係止される。
【００５０】
この状態で、回動ルーバー２は、円筒フレーム２０に５枚の可動フィン２３を組み付けた状態となり、各可動フィン２３の元部に設けたベベルギヤ片２５は中央のベベルギヤ部材５１と噛合した状態となる。ボールジョイント８は、そのボール８１を中央軸支部３の中央軸３１の球状の軸穴に嵌入して、中央軸支部３の後部に取り付けられる。この状態で、回動ルーバー２の中央の操作部６を回動操作すると、ベベルギヤ部材５１が中央軸支部３に対し回動し、その回動力がベベルギヤ片２５を介して５枚の可動フィン２３に伝達されて可動フィン２３が支軸２４，２７を軸に回動し、円筒フレーム２０内の流路が開閉される。
【００５１】
円筒フレーム２０を含む回動ルーバー２をリテーナ１内に装着する場合、後円筒フレーム２２の外周のストッパ２２ｂを、リテーナ１内のガイド溝１ａに挿入し、中央軸支部３の後部にボール８１を嵌合させた状態のボールジョイント８の軸部８２が後方に突出した状態で、ボールジョイント８の軸部８２を、リテーナ１内のボールジョイント支持部１１内に差し込む。そして、ベゼル９を回動ルーバー２の前部を覆うように、リテーナ１の前部に嵌め込み、係止部１３を係止爪９ａに係止させ、レジスタの組立てが完了する。
【００５２】
上記構成のレジスタは、例えば自動車のインストルメントパネルに設けられた空調装置の空気吹出口等に装着して使用される。レジスタの送風方向を変え、風量を絞り、風を拡散させ、或いは空気吹出口を閉鎖する場合、操作部６を持って回動ルーバー２を傾動操作し或いは回動操作する。操作部６はダイヤル状に形成され且つ空気吹出口９ｂ（図２）より少し前方に突出して配設されるため、使用者は容易に操作部６を持って傾動操作或いは回動操作が可能である。
【００５３】
図５に示すように、回動ルーバー２がレジスタの正面前方に真直ぐな状態にあるとき、つまり、回動ルーバー２の可動フィン２３が流路１５の軸方向に沿った中心線Ｓ２と平行な状態にあるとき、空気流は回動ルーバー２の可動フィン２３にガイドされて前方に真直ぐ送風され、このとき、前方の比較的狭い範囲に集中して送風が行なわれる。
【００５４】
風向を斜め上方に向ける場合、操作部６を持って持ち上げるように操作すると、図１０に示すように、操作部６を含む回動ルーバー２がボールジョイント８のボール８１を中心に上側に回動（傾動）し、リテーナ１の中心線Ｓ１に対し回動ルーバー２の中心線Ｓ２が図１０のように上側に傾斜し、これにより、送風方向は斜め上方に向けられる。
【００５５】
同様に、風向を斜め下上方に向ける場合、操作部６を持って下げるように操作すると、図１１のように、操作部６を含む回動ルーバー２がボールジョイント８のボール８１を中心に下側に回動（傾動）し、リテーナ１の中心線Ｓ１に対し回動ルーバー２の中心線Ｓ２が図１１のように下側に傾斜し、送風方向は斜め下方に向けられる。
【００５６】
また、風向を斜め左或いは斜め右に向ける場合、操作部６を持って回動ルーバー２を右または左に傾動させると、操作部６を含む回動ルーバー２がボールジョイント８のボール８１を中心に左側または右側に回動（傾動）し、リテーナ１の中心線Ｓ１に対し回動ルーバー２の中心線Ｓ２が左または右に傾斜し、送風方向は斜め左または右に向けられる。
【００５７】
このとき、回動ルーバー２の後円筒フレーム２２のストッパ２２ｂは、リテーナ１内のガイド溝１ａ内に位置するが、回動ルーバー２はボール８１の中心点とストッパ２２ｂの中心点を結ぶ線を軸に左右に傾動可能であり、また、ガイド溝１ａ内のストッパ２２ｂの周囲にはある程度の空間があるため、回動ルーバー２は左右に円滑に傾動することができる。このように、操作部６を上下或いは左右等と任意の方向に傾動操作することにより、回動ルーバー２の向きを変え、風向を任意の方向に向けることができる。
【００５８】
図１０，１１に示すように、回動ルーバー２を上下に傾動させたとき、円筒フレーム２０の後円筒フレーム２２の後縁部は、リテーナ１の内面との間に、隙間が生じ、その隙間を空気流が絞られた状態で通過する。
【００５９】
通常、後円筒フレーム２２の後縁部近傍のように、空気流が隙間を絞られて通過する場合、空気流に剥離が生じて、渦流が発生しやすく、このような渦流が発生すると、リテーナ１の内周側を流れる空気流と渦流が干渉し加速され、圧力変動により笛吹き音が発生しやすい。
【００６０】
しかしながら、後円筒フレーム２２の後縁部の円周全体に小凹凸部２２ｃが形成されるので、空気流が後円筒フレーム２２の後縁部を通過する際、小凹凸部２２ｃによってその流れが乱され、円周縁部近傍に発生しやすい渦流の発生が阻止される。このため、回動ルーバー２を傾動操作したときの笛吹き音の発生を効果的に防止することができる。
【００６１】
一方、空気吹出口の前方の周囲における比較的広い範囲に、拡散して送風する場合、操作部６を持って中心線Ｓ２を軸に捻るように右または左に回す。
【００６２】
このとき、操作部６の回動力はベベルギヤ機構５の軸部５２を介してベベルギヤ部材５１に伝達され、ベベルギヤ部材５１が回転し、その回転がベベルギヤ部材５１と噛合する５枚の可動フィン２３のベベルギヤ片２５に伝達され、５枚の可動フィン２３はその支軸２４、２７を軸に回動し、各可動フィン２３のフィン本体２６が流路１５の横断面に沿ったラジアル方向の軸の回りで、前後に傾くように回動する。
【００６３】
これにより、空気流は、回動ルーバー２を通過する際、回動ルーバー２の中心線Ｓ２の回りで旋回するように周囲に広って送風され、空気吹出口９ｂの周囲に拡散するように送風される。またこのとき、送風は空気吹出口９ｂの内側に配置された５枚の可動フィン２３により、周囲にガイドされて拡散されるので、従来の４枚の可動フィンの場合に比べ、よりマイルドな風を送風することができる。
【００６４】
一方、送風を遮断する場合には、操作部６をさらに右または左に回動端まで回す。これにより、回動ルーバー２の各可動フィン２３は、支軸２４、２７を軸に、中心線Ｓ１，Ｓ２と垂直な垂直面と平行な状態（流路の遮断状態）まで回動し、これによって、流路１５は全閉状態となり、送風は遮断される。
【００６５】
このように、回動ルーバー２の中央の操作部６を持って回動ルーバー２を上下左右任意の方向に傾動操作したとき、回動ルーバー２は、中央に支持されたボールジョイント８のボール８１を中心に傾動し、送風方向が任意の方向に変えられる。このとき、後円筒フレーム２２の後縁部とリテーナ１の内面との隙間が狭窄され、狭窄された隙間を流路１５から空気流が通過するが、後円筒フレーム２２の円周縁部に小凹凸部２２ｃが設けられているため、そこを空気流が通過する際、小凹凸部２２ｃによって後円筒フレーム２２の円周縁部近傍に発生しやすい渦流の発生が阻止される。このため、回動ルーバー２を傾動操作した際の笛吹き音の発生を防止することができる。また、小凹凸部２２ｃは後円筒フレーム２２の上流側の後縁部に設けられるので、正面から空気吹出口９ｂ内を見たとしても、小凹凸部２２ｃは見えず、レジスタの見栄えを損なうことはない。
【００６６】
図１２（ａ）、図１２（ｂ）は、他の実施形態の円筒フレーム２０Ａを示している。なお、上記実施形態と同様な部分については、上記と同じ符号を図面に付してその説明は省略する。
【００６７】
図に示す如く、円筒フレーム２０Ａは、前円筒フレーム２１と後円筒フレーム２２Ａとからなり、上記と同様に、可動フィン２３を内部に組み付けた状態で、前円筒フレーム２１の後部に後円筒フレーム２２Ａを嵌め込み、係止爪２２ａを被係止部１０に係止させて嵌着される。
【００６８】
後円筒フレーム２２Ａの後縁部には、円周にそって小凹凸部２２ｃが、風切り音を防止するために設けられる。小凹凸部２２ｃは、流路１５内の通風軸方向に向けて凹凸状に形成され、通風軸と直角方向から見て略三角形状の小凹凸が背面に向けて鋸歯状に形成される。
【００６９】
さらに、後円筒フレーム２２Ａの外周面には、その円周方向に沿ったパーティングラインＰＬ（成形時に生じる合わせすじ）に、小凹凸部２２ｄが設けられる。後円筒フレーム２２Ａは、射出成形型を用いて合成樹脂により射出成形されるが、その外周面に突設される係止爪２２ａやストッパ２２ｂを成形するために、２分割される金型の合わせ線つまりパーティングラインＰＬは後円筒フレーム２２Ａの外周面の円周上に生じる。
【００７０】
このため、射出成形された後円筒フレーム２２Ａの外周面に生じる、パーティングラインＰＬの合わせすじは、僅かな段差部として発生し、その合わせすじが後円筒フレーム２２Ａの外周面に円周突条として生じるため、このような後円筒フレーム２２Ａを用いた円筒フレーム２０Ａの外周面とリテーナ１の内面との間の狭窄された隙間を空気流が通過する際、笛吹き音が生じやすい。
【００７１】
そこで、図１２（ａ）（ｂ）に示すように、後円筒フレーム２２Ａの外周面に生じるパーティングラインＰＬ上には、小凹凸部２２ｄが円周上に沿って設けられる。この小凹凸部２２ｄは、パーティングラインＰＬから下流側に向けて、略三角形の多数の小爪部を所定の間隔で凸状に配設して形成される。この例では、多数の小凸部が小凹凸部２２ｄとして、間隔をおいてパーティングラインＰＬ上に並設される。
【００７２】
このような後円筒フレーム２２Ａを有する円筒フレーム２０Ａを使用したレジスタでは、可動フィン２３を閉鎖状態とし、円筒フレーム２０Ａの外周面とリテーナ１の内面との間の狭窄された僅かな隙間に、空気流が通過した場合でも、パーティングラインＰＴの僅かな段差部による渦流は、パーティングラインＰＴ上に並設された多数の小凹凸部２２ｄにより乱されて、その発生が阻止され、笛吹き音の発生は防止される。
【００７３】
図１３はさらに他の実施形態の円筒フレーム２０Ｂを示し、図１４はその後円筒フレーム２２Ｂを示している。この円筒フレーム２０Ｂの後円筒フレーム２２Ｂの後縁部には、風切り音を防止するために、円周縁部にそって矩形山状の小凹凸部２２ｅが設けられる。
【００７４】
図に示す如く、円筒フレーム２０Ｂは、前円筒フレーム２１と後円筒フレーム２２Ｂとからなり、可動フィン２３を内部に組み付けた状態で、前円筒フレーム２１の後部に後円筒フレーム２２Ｂを嵌め込み、係止爪２２ａを被係止部１０に係止させて嵌着される。
【００７５】
上記のように、後円筒フレーム２２Ｂの後縁部には、円周にそって小凹凸部２２ｅが、風切り音を防止するために設けられるが、この小凹凸部２２ｅは、流路１５内の通風軸方向に向けて凹凸状に形成され、通風軸と直角方向から見て略四角形で、矩形歯状の小凹凸が背面に向けて形成される。
【００７６】
さらに、後円筒フレーム２２Ｂの外周面には、上記と同様、その円周方向に沿ったパーティングラインＰＬ（成形時に生じる合わせすじ）に、小凹凸部２２ｄが設けられる。後円筒フレーム２２Ｂは、射出成形型を用いて合成樹脂により射出成形されるが、その外周面に突設される係止爪２２ａやストッパ２２ｂを成形するために、２分割される金型の合わせ線つまりパーティングラインＰＬは後円筒フレーム２２Ｂの外周面の円周上に生じる。
【００７７】
このため、射出成形された後円筒フレーム２２Ｂの外周面に生じる、パーティングラインＰＬの合わせすじは、僅かな段差部として発生し、その合わせすじが後円筒フレーム２２Ｂの外周面に円周突条として生じるため、このような後円筒フレーム２２Ｂを用いた円筒フレーム２０Ｂの外周面とリテーナ１の内面との間の狭窄された隙間を空気流が通過する際、笛吹き音が生じやすい。
【００７８】
そこで、図１４（ａ）（ｂ）に示すように、後円筒フレーム２２Ｂの外周面に生じるパーティングラインＰＬ上には、小凹凸部２２ｄが円周上に沿って設けられる。この小凹凸部２２ｄは、パーティングラインＰＬから下流側に向けて、略三角形の多数の小爪部を所定の間隔で凸状に配設して形成される。この例では、多数の小凸部が小凹凸部２２ｄとして、間隔をおいてパーティングラインＰＬ上に並設される。
【００７９】
このような後円筒フレーム２２Ｂを有する円筒フレーム２０Ｂを使用したレジスタでは、可動フィン２３を閉鎖状態とし、円筒フレーム２０Ｂの外周面とリテーナ１の内面との間の狭窄された僅かな隙間に、空気流が通過した場合でも、パーティングラインＰＴの僅かな段差部による渦流は、パーティングラインＰＴ上に並設された多数の小凹凸部２２ｄにより乱されて、その発生が阻止され、笛吹き音の発生は防止される。
【００８０】
なお、上記実施形態の回動ルーバー２には、５枚の可動フィン２３を設けたが、例えば、可動フィンの数を３枚或いは６枚とすることもできる。また、上記操作部６は円環状としたが、別の多角形などの形状にすることもできる。また、上記小凹凸部２２ｃの形状は、三角形状で鋸歯状としたが、方形或いは矩形とすることもできる。また、上記円筒フレーム２０，２０Ａは、前円筒フレーム２１と後円筒フレーム２２、２２Ａから形成したが、一体に形成することもできる。その場合、パーティングラインに沿った小凹凸部２２ｄは、一体成形された円筒フレームの外周面に形成されることとなる。
【符号の説明】
【００８１】
１      リテーナ
１ａ    ガイド溝
２      回動ルーバー
３      中央軸支部
４      軸支線
５      ベベルギヤ機構
６      操作部
８      ボールジョイント
９      ベゼル
９ａ    係止爪
９ｂ    空気吹出口
１０    被係止部
１０ａ  中央開口部
１０ｂ  成形部
１０ｃ  側部成形部
１１    ボールジョイント支持部
１２    支持枠
１３    係止部
１５    流路
２０    円筒フレーム
２０Ａ    円筒フレーム
２０Ｂ    円筒フレーム
２１    前円筒フレーム
２１ａ  格子部
２１ｂ  操作部保持部
２１ｃ  挿入孔
２２    後円筒フレーム
２２Ａ    後円筒フレーム
２２Ｂ    後円筒フレーム
２２ａ  係止爪
２２ｂ  ストッパ
２２ｃ  小凹凸部
２２ｄ  小凹凸部
２２ｅ  小凹凸部
２３    可動フィン
２４    支軸
２５    ベベルギヤ片
２６    フィン本体
２７    支軸
３１    中央軸
４２    軸穴
５１    ベベルギヤ部材
５２    軸部
６１    軸部
８１    ボール
８２    軸部
【図１】
0006624935.tif 000002
【図２】
0006624935.tif 000003
【図３】
0006624935.tif 000004
【図４】
0006624935.tif 000005
【図５】
0006624935.tif 000006
【図６】
0006624935.tif 000007
【図７】
0006624935.tif 000008
【図８】
0006624935.tif 000009
【図９】
0006624935.tif 000010
【図１０】
0006624935.tif 000011
【図１１】
0006624935.tif 000012
【図１２】
0006624935.tif 000013
【図１３】
0006624935.tif 000014
【図１４】
0006624935.tif 000015